(57)【要約】【課題】容易に他の効果装置と並列接続することができる効果装置を提供する。【解決手段】スイッチＳＷ１が、２側に設定された場合は、入力ジャックＪＫ２に入力され、効果付与回路２により効果が付与された楽音信号と、センドジャックＪＫ３により出力され、外部に接続された効果装置３０により効果が付与されてリターンジャックＪＫ４により入力された楽音信号とがアンプＡＭＰ４により合成されて、出力ジャックＪＫ１に出力される。【選択図】図１
2007304128.tif 000002
【特許請求の範囲】
【請求項１】
楽音信号を入力する入力端子と、その入力端子により入力された楽音信号に効果を付与する効果付与手段と、その効果付与手段により効果が付与された楽音信号を出力する出力端子とを備えた効果装置において、
前記入力端子により入力された楽音信号を出力するセンド端子と、
前記入力端子により入力された楽音信号と異なる楽音信号を入力するリターン端子と、
そのリターン端子により入力された楽音信号と前記効果付与手段により効果が付与された楽音信号とを合成する合成手段とを備え、
前記出力端子は、前記合成手段により合成された楽音信号を出力することを特徴とする効果装置。
【請求項２】
前記入力端子により入力された楽音信号と前記合成手段により合成された楽音信号とのいずれかを選択する効果切替え手段を備え、
前記出力端子は、前記効果切替え手段により選択された楽音信号を出力することを特徴とする請求項１記載の効果装置。
【請求項３】
前記合成手段に前記効果付与手段により効果が付与された楽音信号を入力するか否かを選択する内部効果切替え手段を備えていることを特徴とする請求項１または２記載の効果装置。
【請求項４】
前記入力端子により入力された楽音信号を前記センド端子に出力するとともに、前記リターン端子により入力された楽音信号を前記合成手段に入力し、その合成手段により合成された楽音信号を前記出力端子により出力する並列モードと、前記効果付与手段により効果が付与された楽音信号を前記センド端子により出力するとともに、前記リターン端子により入力された楽音信号を前記出力端子により出力する直列モードとのいずれかに設定するモード切替え手段を備えていることを特徴とする請求項１記載の効果装置。
【請求項５】
前記入力端子により入力された楽音信号を前記センド端子に出力するとともに、前記リターン端子により入力された楽音信号を前記合成手段に入力し、その合成手段により合成された楽音信号を前記出力端子により出力する並列モードと、前記入力端子により入力された楽音信号を前記センド端子により出力するとともに、前記リターン端子により入力された楽音信号を前記効果付与手段に入力し、その効果付与手段により効果が付与された楽音信号を前記出力端子により出力する直列モードとのいずれかに設定するモード切替え手段を備えていることを特徴とする請求項１記載の効果装置。
【請求項６】
前記入力端子により入力された楽音信号と、前記モード切替え手段により並列モードまたは直列モードが選択されている場合において、効果が付与された楽音信号とのいずれかを選択する効果切替え手段を備え、
前記出力端子は、前記効果切替え手段により選択された楽音信号を出力することを特徴とする請求項４または５記載の効果装置。
【請求項７】
前記モード切替え手段により直列モードが選択されている場合において、前記効果付与手段により効果を付与するか否かを選択する内部効果切替え手段を備えていることを特徴とする請求項４または５記載の効果装置。
【請求項８】
前記モード切替え手段により並列モードが選択されている場合において、前記合成手段に前記効果付与手段により効果が付与された楽音信号を入力するか否かを選択する内部効果切替え手段を備えていることを特徴とする請求項４または５記載の効果装置。
【請求項９】
前記モード切替え手段により直列モードが選択されている場合は、前記効果付与手段により効果を付与し、前記モード切替え手段により並列モードが選択されている場合は、前記合成手段に前記効果付与手段により効果が付与された楽音信号を入力する内部効果有効モードと、前記モード切替え手段により直列モードが選択されている場合は、前記効果付与手段により効果を付与せず、前記モード切替え手段により並列モードが選択されている場合は、前記合成手段に前記効果付与手段により効果が付与された楽音信号を入力しない内部効果無効モードとを選択する内部効果切替え手段を備えていることを特徴とする請求項４または５記載の効果装置。
【請求項１０】
前記リターン端子に入力された楽音信号の位相を反転する位相反転手段と、その位相反転手段により位相を反転するか否かを設定する反転切替え手段を備えていることを特徴とする請求項１から９のいずれかに記載の効果装置。
【発明の詳細な説明】
【技術分野】
【０００１】
本発明は、効果装置に関し、特に容易に他の効果装置を並列接続することができる効果装置に関する。
【背景技術】
【０００２】
従来、楽音信号を入力し、その入力した楽音信号に効果を付与して出力する効果装置（エフェクタ）が知られている。特に、電気ギターの出力に様々な効果を付与することが行われ、各種効果装置が提供されている。
【０００３】
図７は、従来の効果装置３０の電気的構成を示すブロック図である。従来の効果装置３０は、入力ジャックＪＫ２、アンプＡＭＰ１、アンプＡＭＰ２、スイッチＳＷ１、効果付与回路２、出力ジャックＪＫ１により構成される。入力ジャックＪＫ２には、電気ギターやシンセサイザーなどと接続する接続コードの一端に設けられたプラグが挿入され、電気ギターやシンセサイザーなどにより発生された楽音信号が入力される。
【０００４】
入力ジャックＪＫ２から入力された楽音信号は、アンプＡＭＰ２を介して効果付与回路２に入力されるとともに、スイッチＳＷ１の一方の入力端子（１側）に接続される。効果付与回路２の出力は、スイッチＳＷ１の他方の入力端子（２側）に接続され、スイッチＳＷ１の出力端子は、アンプＡＭＰ１を介して出力ジャックＪＫ１に接続される。効果付与回路２は、ディストーションと呼ばれる楽音に歪みを付加する歪み系の効果を付与するものや、楽音に残響、またはディレイを付加する残響系の効果を付与するものなどがある。
【０００５】
出力ジャックＪＫ１には、スピーカを駆動するアンプ（図示なし）と接続する接続コードの一端に設けられたプラグが挿入される。スイッチＳＷ１は、演奏者が足で操作することができるフットペダルなどに備えられ、ギターやシンセサイザーを両手を使用して演奏している間に、足で操作することができる。
【０００６】
スイッチＳＷ１を操作して、１側に接続した場合には、入力された楽音信号は、効果が付与されず出力ジャックＪＫ１から出力され、２側に接続した場合は、入力された楽音信号に効果付与回路２により効果が付与された楽音信号が出力ジャックＪＫ１から出力される。
【０００７】
特開２００４−２５８２４４号公報（特許文献１）には、入力された楽音信号を一時記憶し、設定された時間後に出力するディレイ効果を付与する効果装置が開示されている。
【特許文献１】特開２００４−２５８２４４号公報
【発明の開示】
【発明が解決しようとする課題】
【０００８】
しかしながら、従来の効果装置は、入力ジャックと出力ジャックをそれぞれ１つしか備えておらず、他の効果装置を直列接続することは容易に行うことができたが、並列接続することは容易ではなかった。そのために、直列接続を行っていたが、直列接続を行った場合には、後段の効果装置の効果が支配的になり、所望の効果を得ることができないという問題点があった。
【０００９】
ここで、直列接続とは、前段の効果装置の出力を後段の効果装置に入力し、後段の出力をアンプなどに入力する接続方法であり、並列接続とは、楽音信号を複数の効果装置にそれぞれ直接入力し、これらの効果装置の出力を合成する接続方法である。
【００１０】
従来の効果装置を用いて並列接続を行うには、効果装置の入力側において楽音信号を分岐する手段と、効果装置の出力側において合成を行う手段とが必要となり、その設定が煩雑になるという問題点もあった。
【００１１】
本発明は、上述した問題点を解決するためになされたものであり、容易に他の効果装置と並列接続することができる効果装置を提供することを目的とする。
【課題を解決するための手段】
【００１２】
この目的を達成するために、請求項１記載の効果装置は、楽音信号を入力する入力端子と、その入力端子により入力された楽音信号に効果を付与する効果付与手段と、その効果付与手段により効果が付与された楽音信号を出力する出力端子とを備えたものであり、前記入力端子により入力された楽音信号を出力するセンド端子と、前記入力端子により入力された楽音信号と異なる楽音信号を入力するリターン端子と、そのリターン端子により入力された楽音信号と前記効果付与手段により効果が付与された楽音信号とを合成する合成手段とを備え、前記出力端子は、前記合成手段により合成された楽音信号を出力する。
【００１３】
請求項２記載の効果装置は、請求項１記載の効果装置において、前記入力端子により入力された楽音信号と前記合成手段により合成された楽音信号とのいずれかを選択する効果切替え手段を備え、前記出力端子は、前記効果切替え手段により選択された楽音信号を出力する。
【００１４】
請求項３記載の効果装置は、請求項１または２記載の効果装置において、前記合成手段に前記効果付与手段により効果が付与された楽音信号を入力するか否かを選択する内部効果切替え手段を備えている。
【００１５】
請求項４記載の効果装置は、請求項１記載の効果装置において、前記入力端子により入力された楽音信号を前記センド端子に出力するとともに、前記リターン端子により入力された楽音信号を前記合成手段に入力し、その合成手段により合成された楽音信号を前記出力端子により出力する並列モードと、前記効果付与手段により効果が付与された楽音信号を前記センド端子により出力するとともに、前記リターン端子により入力された楽音信号を前記出力端子により出力する直列モードとのいずれかに設定するモード切替え手段を備えている。
【００１６】
請求項５記載の効果装置は、請求項１記載の効果装置において、前記入力端子により入力された楽音信号を前記センド端子に出力するとともに、前記リターン端子により入力された楽音信号を前記合成手段に入力し、その合成手段により合成された楽音信号を前記出力端子により出力する並列モードと、前記入力端子により入力された楽音信号を前記センド端子により出力するとともに、前記リターン端子により入力された楽音信号を前記効果付与手段に入力し、その効果付与手段により効果が付与された楽音信号を前記出力端子により出力する直列モードとのいずれかに設定するモード切替え手段を備えている。
【００１７】
請求項６記載の効果装置は、請求項４または５記載の効果装置において、前記入力端子により入力された楽音信号と、前記モード切替え手段により並列モードまたは直列モードが選択されている場合において効果が付与された楽音信号とのいずれかを選択する効果切替え手段を備え、前記出力端子は、前記効果切替え手段により選択された楽音信号を出力する。
【００１８】
請求項７記載の効果装置は、請求項４または５記載の効果装置において、前記モード切替え手段により直列モードが選択されている場合において、前記効果付与手段により効果を付与するか否かを選択する内部効果切替え手段を備えている。
【００１９】
請求項８記載の効果装置は、請求項４または５記載の効果装置において、前記モード切替え手段により並列モードが選択されている場合において、前記合成手段に前記効果付与手段により効果が付与された楽音信号を入力するか否かを選択する内部効果切替え手段を備えている。
【００２０】
請求項９記載の効果装置は、請求項４または５記載の効果装置において、前記モード切替え手段により直列モードが選択されている場合は、前記効果付与手段により効果を付与し、前記モード切替え手段により並列モードが選択されている場合は、前記合成手段に前記効果付与手段により効果が付与された楽音信号を入力する内部効果有効モードと、前記モード切替え手段により直列モードが選択されている場合は、前記効果付与手段により効果を付与せず、前記モード切替え手段により並列モードが選択されている場合は、前記合成手段に前記効果付与手段により効果が付与された楽音信号を入力しない内部効果無効モードとを選択する内部効果切替え手段を備えている。
【００２１】
請求項１０記載の効果装置は、請求項１から９のいずれかに記載の効果装置において、前記リターン端子に入力された楽音信号の位相を反転する位相反転手段と、その位相反転手段により位相を反転するか否かを設定する反転切替え手段を備えている。
【発明の効果】
【００２２】
請求項１記載の効果装置によれば、入力端子により入力された楽音信号を出力するセンド端子と、入力端子により入力された楽音信号と異なる楽音信号を入力するリターン端子と、そのリターン端子により入力された楽音信号と効果付与手段により効果が付与された楽音信号とを合成する合成手段とを備え、出力端子は、合成手段により合成された楽音信号を出力するので、センド端子から出力される楽音信号を入力して、前記効果付与手段が付与する効果とは異なる効果を付与する第２の効果装置を接続し、その第２の効果装置の出力をリターン端子に接続することにより、効果装置が付与する効果と、第２の効果装置が付与する効果とを並列に付与することができるという効果がある。
【００２３】
請求項２記載の効果装置によれば、請求項１記載の効果装置の奏する効果に加え、入力端子により入力された楽音信号と合成手段により合成された楽音信号とのいずれかを選択する効果切替え手段を備え、出力端子は、効果切替え手段により選択された楽音信号を出力するので、合成手段により合成された楽音信号、すなわち内部に備えられた効果付与手段と外部に並列接続された効果装置とにより効果が付与された楽音信号と、入力端子により入力された楽音信号、すなわち効果が付与されていない楽音信号とを任意に選択することができるという効果がある。
【００２４】
請求項３記載の効果装置によれば、請求項１または２記載の効果装置の奏する効果に加え、合成手段に効果付与手段により効果が付与された楽音信号を入力するか否かを選択する内部効果切替え手段を備えているので、内部に備えられている効果付与手段による効果を付与するかしないかのみを選択することができる。すなわち、外部に接続される効果だけを付与することができる。
【００２５】
請求項４記載の効果装置によれば、請求項１記載の効果装置の奏する効果に加え、入力端子により入力された楽音信号をセンド端子に出力するとともに、リターン端子により入力された楽音信号を合成手段に入力し、その合成手段により合成された楽音信号を出力端子により出力する並列モードと、効果付与手段により効果が付与された楽音信号をセンド端子により出力するとともに、リターン端子により入力された楽音信号を出力端子により出力する直列モードとのいずれかを選択する切替え手段を備えているので、効果付与手段により付与する効果と外部に接続する効果装置により付与する効果とを並列に付与する場合とを容易に切り替えることができるという効果がある。
【００２６】
請求項５記載の効果装置によれば、請求項１記載の効果装置の奏する効果に加え、入力端子により入力された楽音信号をセンド端子に出力するとともに、リターン端子により入力された楽音信号を合成手段に入力し、その合成手段により合成された楽音信号を出力端子により出力する並列モードと、入力端子により入力された楽音信号をセンド端子により出力するとともに、リターン端子により入力された楽音信号を効果付与手段に入力し、その効果付与手段により効果が付与された楽音信号を出力端子により出力する直列モードとのいずれかに設定するモード切替え手段を備えているので、効果付与手段により付与する効果と外部に接続する効果装置により付与する効果とを並列に付与する場合と、直列に付与する場合とを、容易に切り替えることができるという効果がある。
【００２７】
請求項６記載の効果装置によれば、請求項４または５記載の効果装置の奏する効果に加え、入力端子により入力された楽音信号と、モード切替え手段により並列モードまたは直列モードが選択されている場合において効果が付与された楽音信号とのいずれかを選択する効果切替え手段を備え、出力端子は、効果切替え手段により選択された楽音信号を出力するので、並列モードおよび直列モードにおいて、内部の効果と外部の効果とのいずれの効果をも付与しないように設定することができる。
【００２８】
請求項７記載の効果装置によれば、請求項４または５記載の効果装置の奏する効果に加え、モード切替え手段により直列モードが選択されている場合において、効果付与手段により効果を付与するか否かを選択する内部効果切替え手段を備えているので、直列モードにおいて、内部の効果付与手段をバイパスし、外部に接続される効果装置のみにより効果を付与することができる。
【００２９】
請求項８記載の効果装置によれば、請求項４または５記載の効果装置の奏する効果に加え、モード切替え手段により並列モードが選択されている場合において、合成手段に効果付与手段により効果が付与された楽音信号を入力するか否かを選択する内部効果切替え手段を備えているので、並列モードにおいて、内部の効果付与手段により効果を付与せずに、外部に接続される効果装置のみにより効果を付与することができる。
【００３０】
請求項９記載の効果装置によれば、請求項４または５記載の効果装置の奏する効果に加え、モード切替え手段により直列モードが選択されている場合は、効果付与手段により効果を付与し、モード切替え手段により並列モードが選択されている場合は、合成手段に効果付与手段により効果が付与された楽音信号を入力する内部効果有効モードと、モード切替え手段により直列モードが選択されている場合は、効果付与手段により効果を付与せず、モード切替え手段により並列モードが選択されている場合は、合成手段に効果付与手段により効果が付与された楽音信号を入力しない内部効果無効モードとを選択する内部効果切替え手段を備えているので、直列モード、並列モードのいずれであっても、内部の効果付与手段により効果を付与する場合と、内部の効果付与手段により効果を付与せずに、外部に接続される効果装置のみにより効果を付与する場合とを切り替えることができる。
【００３１】
請求項１０記載の効果装置によれば、請求項１から９いずれかに記載の効果装置の奏する効果に加え、リターン端子に入力された楽音信号の位相を反転する位相反転手段と、その位相反転手段により位相を反転するか否かを設定する反転切替え手段を備えているので、リターン端子に入力される楽音信号の位相が反転されていて、効果付与手段により効果が付与された楽音信号と合成する際に、打ち消し合って違和感のある音色になることを防止することができる。
【発明を実施するための最良の形態】
【００３２】
以下、本発明の好ましい実施例について、添付図面を参照して説明する。図１は、本発明の第１の実施形態による効果装置１の電気的構成を示すブロック図である。効果装置１は、入力ジャックＪＫ２、アンプＡＭＰ１、アンプＡＭＰ２、アンプＡＭＰ３、アンプＡＭＰ４、スイッチＳＷ１、効果付与回路２、出力ジャックＪＫ１、センドジャックＪＫ３、リターンジャックＪＫ４により構成される。
【００３３】
入力ジャックＪＫ２には、従来のものと同様に電気ギターやシンセサイザーなどと接続する接続コードの一端に設けられたプラグが挿入され、電気ギターやシンセサイザーなどにより発生された楽音信号が入力される。
【００３４】
アンプＡＭＰ１、アンプＡＭＰ２、アンプＡＭＰ３は、バッファであって、アンプＡＭＰ４は、２つの入力により入力された楽音信号を合成して出力するものであり、効果付与回路２は、従来のものと同様に入力された楽音信号にディストーションやディレイなどの効果を付与するものである。
【００３５】
入力ジャックＪＫ２から入力された楽音信号は、アンプＡＭＰ２を介して効果付与回路２に入力されるとともに、スイッチＳＷ１の一方の入力端子（１側）とセンドジャックＪＫ３に接続される。
【００３６】
効果付与回路２の出力とリターンジャックＪＫ４に入力されてアンプＡＭＰ３により出力された楽音信号とは、アンプＡＭＰ４の入力にそれぞれ接続され、アンプＡＭＰ４により合成されてスイッチＳＷ１の他方の入力端子（２側）に接続される。スイッチＳＷ１の出力は、アンプＡＭＰ１を介して出力ジャックＪＫ１に接続される。
【００３７】
スイッチＳＷ１が操作されて１側に設定された場合は、入力ジャックＪＫ２に入力された楽音信号が出力ジャックＪＫ１に出力され、効果が付与されない。スイッチＳＷ１が、２側に設定された場合は、効果付与回路２により効果が付与された楽音信号と、外部に接続された効果装置により効果が付与され、リターンジャックＪＫ４により入力された楽音信号とがアンプＡＭＰ４により合成されて、出力ジャックＪＫ１に出力される。
【００３８】
出力ジャックＪＫ１には、従来のものと同様にスピーカを駆動するアンプ（図示なし）と接続する接続コードの一端に設けられたプラグが挿入される。スイッチＳＷ１は、演奏者が足で操作することができるフットペダルなどに備えられ、ギターやシンセサイザーを両手を使用して演奏している間に、足で操作することができる。また、効果付与回路２は、図示しない電池により電源が供給される。
【００３９】
図２は、本発明による効果装置１と従来の効果装置３０とを接続した場合の外観を示す平面図である。図２に示すように、効果装置１のセンドジャックＪＫ３と効果装置３０の入力ジャックＪＫ２とは、接続コード１４により接続され、効果装置３０の出力ジャックＪＫ１と効果装置１のリターンジャックＪＫ４とは、接続コード１３により接続されている。また、効果装置１の入力ジャックＪＫ２には、電気ギターなどと接続する接続コード１１が、効果装置１の出力ジャックＪＫ１には、スピーカを駆動するアンプと接続する接続コード１２がそれぞれ接続されている。
【００４０】
また、各効果装置の上面パネルには、各種操作子とＬＥＤとペダルＰとが備えられている。ペダルＰは、一端を軸として揺動する操作部が常態ではバネにより上方に保持され、足などで踏み込むことにより揺動して押下され、操作部が押下されることによりスイッチＳＷ１がトグル動作を行うように構成されている。
【００４１】
ＬＥＤは、ペダルＰの操作によりスイッチＳＷ１が切り替わり、効果を付与した楽音信号が出力される状態では点灯され、効果を付与していない入力された楽音信号が出力される状態では消灯される。また、操作パネルには、効果付与回路２により楽音信号に効果を付与する際のパラメータを設定する複数の操作子が備えられている。例えば、出力する楽音信号の音量を制御するレベル（LEVEL）つまみや、楽音信号の周波数特性を調整するトーン（TONE）つまみなどがある。
【００４２】
この態様においては、効果装置１は、効果としてディストーションを付与するものであり、効果装置３０は、効果としてオーバードライブを付与するものであり、効果装置１のペダルＰを操作して、効果を掛ける状態に設定した場合は、効果装置１と効果装置３０とが並列接続となり、入力された楽音信号に、効果装置１によりディストーションが付加された楽音信号と、効果装置３０によりオーバードライブが付加された楽音信号とが合成されて出力される。なお、この状態で、効果装置３０のペダルＰが操作されて効果装置３０により、効果が付与されない状態が設定された場合は、効果装置１によりディストーションが付加された楽音信号と、入力された楽音信号とが合成されて出力される。
【００４３】
以上のように、上記第１の実施態様では、外部に接続する効果装置３０を効果装置１と並列接続することができ、直列接続することにより、後段の支配力が大きくなるようなことを防止することができる。
【００４４】
次に、図３を参照して第２の実施態様について説明する。図３は、第２の実施態様の効果装置１の電気的構成を示すブロック図である。なお、前記した第１の実施態様の効果装置１と同一部分には、同一の符号を付してその説明は省略し、異なる部分についてのみ説明する。
【００４５】
図３に示すように、第１の実施形態と異なる点は、アンプＡＭＰ３と、アンプＡＭＰ４との間に、位相反転用のアンプＡＭＰ５とスイッチＳＷ２とが備えられた点である。
【００４６】
リターンジャックＪＫ４の入力は、アンプＡＭＰ３に入力され、アンプＡＭＰ３の出力は、入力信号の位相を反転するインバータであるアンプＡＭＰ５の入力と、スイッチＳＷ２の入力端子の２側に接続され、アンプＡＭＰ５の出力は、スイッチＳＷ２の入力端子の１側に接続され、スイッチＳＷ２の出力端子は、アンプＡＭＰ４の一方の入力に接続される。
【００４７】
外部に並列接続される効果装置からリターンジャックＪＫ４を介して入力される楽音信号の位相が、効果付与回路２により効果が付与された楽音信号の位相に対して反転している場合があり、その場合には、相互に楽音信号を打ち消し合って、意図しない音色になる場合がある。この状態を回避するために、インバータであるアンプＡＭＰ５を備え、位相を反転した楽音信号と、位相を反転しない楽音信号のいずれかをスイッチＳＷ２により、任意に選択することができるようにしたものである。演奏者は、合成された楽音を試聴し、合成された楽音が意図しない音色になった場合は、スイッチＳＷ２を切り替えることにより、正常な音色に設定することができる。なお、スイッチＳＷ２は、操作パネルにトグルスイッチ、またはスライドスイッチなどを取付けることにより形成される。
【００４８】
次に、図４を参照して第３の実施態様について説明する。図４は、第３の実施態様の効果装置１の電気的構成を示すブロック図である。なお、前記した第１の実施態様の効果装置１と同一部分には、同一の符号を付してその説明は省略し、異なる部分についてのみ説明する。第１の実施態様では、外部に接続する効果装置３０を並列接続するものであったが、第３の実施態様では、外部に接続する効果装置３０を並列接続するか、直列接続するかをスイッチにより選択することができるものである。
【００４９】
図４に示すように、第３の実施態様の効果装置１には、３つの回路Ａ，Ｂ，Ｃを同時に切り替えるスイッチＳＷ３が備えられる。回路Ａは、リターンジャックＪＫ４に入力され、アンプＡＭＰ３から出力された楽音信号を、アンプＡＭＰ４の入力へ出力する（１側）か、出力ジャックＪＫ１への接続を切替える回路Ｃの端子２へ出力する（２側）かを選択するものである。
【００５０】
回路Ｂは、センドジャックＪＫ３への出力を、入力ジャックＪＫ２に入力され、アンプＡＭＰ２から出力された楽音信号とする（１側）か、アンプＡＭＰ１から出力された楽音信号とする（２側）かを選択するものである。回路Ｃは、出力ジャックＪＫ１への接続を切替えるもので、アンプＡＭＰ１から出力された楽音信号とする（１側）か、回路Ａの端子２に接続される、リターンジャックＪＫ４に入力され、アンプＡＭＰ３から出力された楽音信号とする（２側）かを選択するものである。
【００５１】
また、スイッチＳＷ４は、入力ジャックＪＫ２に入力された楽音信号とアンプＡＭＰ４の出力とを切り替えてアンプＡＭＰ１に出力するものであり、ペダルＰの操作により切り替えられる。なお、スイッチＳＷ３は、操作パネルに、トグルスイッチ、またはスライドスイッチなどを取付けることにより形成される。
【００５２】
表１は、ＳＷ３とＳＷ４との切替状態により設定される効果のかかりかたの状態を示すものである。
【００５３】
【表１】
2007304128.tif 000003
表１が示すように、スイッチＳＷ３が１側に設定され、スイッチＳＷ４が１側に設定された場合は、入力ジャックＪＫ２に入力された楽音信号がダイレクトに出力ジャックＪＫ１に出力され、スイッチＳＷ４が２側に設定された場合は、内部の効果付与回路２と外部に接続される効果装置３０とにより効果が付与される並列接続（パラレル接続）となる。
【００５４】
一方、スイッチＳＷ３が２側に設定され、スイッチＳＷ４が１側に設定された場合は、内部の効果付与回路２がバイパスされてセンドジャックＪＫ３に出力され、外部に接続された効果装置３０のみによる効果の付与が行われ、スイッチＳＷ４が２側に設定された場合は、まず、内部の効果付与回路２により効果が付与され、次に、外部に接続される効果装置３０により効果が付与される直列接続（シリーズ接続）となる。
【００５５】
いいかえれば、スイッチＳＷ４が２側に設定され、スイッチＳＷ３が１側に設定されている場合は、入力ジャックＪＫ２に入力された楽音信号は、アンプＡＭＰ２を介して効果付与回路２に入力されるとともに、スイッチＳＷ４を介してセンドジャックＪＫ３から出力される。外部に接続される効果装置３０は、このセンドジャックＪＫ３から出力された楽音信号を入力し、効果を付与してリターンジャックＪＫ４に戻す。
【００５６】
リターンジャックＪＫ４に入力された楽音信号は、アンプＡＭＰ３を介してアンプＡＭＰ４の一方の入力に入力され、効果付与回路２により効果が付与された楽音信号は、アンプＡＭＰ４の他方の入力に入力され合成される。アンプＡＭＰ４により合成された楽音信号は、アンプＡＭＰ１を介して出力ジャックＪＫ１から出力される。したがって、この場合は、外部の効果装置３０は、並列接続される。
【００５７】
スイッチＳＷ４を２側に設定したまま、スイッチＳＷ３を２側に設定した場合は、入力ジャックＪＫ２に入力された楽音信号は、アンプＡＭＰ２を介して効果付与回路２に入力され、効果付与回路２により効果が付与された楽音信号は、アンプＡＭＰ４およびアンプＡＭＰ１を介してセンドジャックＪＫ３から出力される。外部に接続される効果装置３０は、このセンドジャックＪＫ３から出力された楽音信号を入力し、効果を付与してリターンジャックＪＫ４に戻す。
【００５８】
リターンジャックＪＫ４に入力された楽音信号は、アンプＡＭＰ３を介して出力ジャックＪＫ１から出力される。したがって、この場合は、外部の効果装置３０は、直列接続される。よって、スイッチＳＷ４を２側に設定している場合には、スイッチＳＷ３を切替えることにより外部に接続された効果装置３０との接続を、直列接続と、並列接続とのいずれかに切替えることができる。
【００５９】
なお、スイッチＳＷ４を１側に設定した場合は、スイッチＳＷ３を１側に設定した並列接続の場合は、入力ジャックＪＫ２に入力された楽音信号は、アンプＡＭＰ２およびＡＭＰ１を介して出力ジャックＪＫ１から出力され、効果は付与されない。また、スイッチＳＷ４を１側に設定し、スイッチＳＷ３を２側に設定する（図４に示す状態）と、入力ジャックＪＫ２に入力された楽音信号は、アンプＡＭＰ２およびＡＭＰ１を介してセンドジャックＪＫ３から出力され、外部に接続される効果装置３０により効果が付与された楽音信号がリターンジャックＪＫ４に入力され、アンプＡＭＰ３を介して出力ジャックＪＫ１から出力される。したがって、この場合は、外部に接続された効果装置３０の効果だけが付与される。
【００６０】
以上、第３の実施態様に基づいて説明したように、スイッチＳＷ３を備えることにより、外部に接続された効果装置３０との結線などを変えることなく、並列接続と直列接続とを任意に切り替えることができる。
【００６１】
次に、図５を参照して第４の実施態様について説明する。図５は、第４の実施態様の効果装置１の電気的構成を示すブロック図である。なお、前記した第１〜３の実施態様の効果装置１と同一部分には、同一の符号を付してその説明は省略し、異なる部分についてのみ説明する。第３の実施態様では、スイッチＳＷ４を切り替えることにより、直列モードの場合は、内部の効果付与回路２をバイパスし、外部に接続される効果装置３０のみにより効果を付与するが、並列モードの場合は、入力ジャックＪＫ２に入力された楽音信号をダイレクトに出力するものであった。
【００６２】
第４の実施態様では、直列モードであっても並列モードであっても、スイッチＳＷ４を切り替えることにより、内部の効果付与回路２により効果を付与しない場合も、外部に接続される効果装置３０のみにより効果を付与するようにしたものである。
【００６３】
この実施態様では、２つの回路Ｄ，Ｅを同時に切り替えるスイッチＳＷ４を備え、回路Ｄは、ＳＷ３により直列モードが選択されている場合に、センドジャックＪＫ３への接続を、入力ジャックから入力され、アンプＡＭＰ２から出力された楽音信号とする（１側）か、効果付与回路２により効果が付与された楽音信号とする（２側）かを切替え、回路Ｅは、アンプＡＭＰ４の一方の入力をグランドとする（１側）か、効果付与回路２により効果が付与された楽音信号とする（２側）かを切替えるものである。表２は、ＳＷ３とＳＷ４との切替状態により設定される効果のかかりかたの状態を示すものである。
【００６４】
【表２】
2007304128.tif 000004
表２が示すように、スイッチＳＷ３が１側に設定され、スイッチＳＷ４が１側に設定された場合は、入力ジャックＪＫ２に入力された楽音信号がセンドジャックＪＫ３に出力されて外部に接続される効果装置３０のみより効果が付与され、スイッチＳＷ４が２側に設定された場合は、内部の効果付与回路２と外部に接続される効果装置３０とにより効果が付与される並列接続（パラレル接続）となる。
【００６５】
一方、スイッチＳＷ３が２側に設定され、スイッチＳＷ４が１側に設定された場合は、内部の効果付与回路２がバイパスされてセンドジャックＪＫ３に出力され、外部に接続された効果装置３０のみによる効果の付与が行われ、スイッチＳＷ４が２側に設定された場合は、まず、内部の効果付与回路２により効果が付与され、次に、外部に接続される効果装置３０により効果が付与される直列接続（シリーズ接続）となる。
【００６６】
いいかえれば、スイッチＳＷ３が１側に切り替えられて並列モードに選択されている場合は、スイッチＳＷ４が１側に切り替えられると、回路Ｅにより効果付与回路２の出力は遮断され、外部に接続された効果装置３０により効果が付与された楽音信号のみがアンプＡＭＰ４に入力され、スイッチＳＷ４が２側に切り替えられると、効果付与回路２の出力は、アンプＡＭＰ４に入力されるので、並列接続となる。
【００６７】
スイッチＳＷ３が２側に切り替えられて直列モードに選択されている場合は、スイッチＳＷ４が１側に切り替えられると、回路ＤによりセンドジャックＪＫ３には、入力ジャックＪＫ２に入力された楽音信号が出力され、外部に接続された効果装置３０のみにより効果が付与された楽音信号がリターンジャックＪＫ４に入力され、さらにアンプＡＭＰ３およびアンプＡＭＰ１を介して出力ジャックＪＫ１から出力される。スイッチＳＷ４が２側に切り替えられると、センドジャックＪＫ３には、効果付与回路２により効果が付与された楽音信号が供給され、外部に接続された効果装置３０によりさらに効果が付与されて、リターンジャックＪＫ４に入力され、さらにアンプＡＭＰ３およびアンプＡＭＰ１を介して出力ジャックＪＫ１から出力される。
【００６８】
よって、第４の実施態様では、ＳＷ４を切り替えることにより、直列モード、並列モードのいずれの場合であっても、外部に接続された効果装置３０のみにより効果を付与する場合を設定することができる。
【００６９】
次に図６を参照して、第５の実施態様について説明する。図６は、第５の実施態様の効果装置１の電気的構成を示すブロック図である。なお、前記した第１〜４の実施態様の効果装置１と同一部分には、同一の符号を付してその説明は省略し、異なる部分についてのみ説明する。第３および第４の実施態様では、直列モードと並列モードとを切り替えることができ、直列モードにおいては、先に内部の効果付与回路２により効果を付与し、次に外部に接続される効果装置３０により効果を付与するものであったが、第５の実施態様では、同様に、直列モードと並列モードとを切り替えることができ、直列モードにおいては、先に外部に接続される効果装置３０により効果を付与し、次に、内部の効果付与回路２により効果を付与するものである。
図６に示すように、センドジャックＪＫ３には、アンプＡＭＰ２の出力が接続され、入力ジャックＪＫ２に入力される楽音信号が常に供給される。直列モードと並列モードとを切り替えるスイッチＳＷ５は、３つの回路Ａ、Ｂ、Ｃを同時に切り替えるものである。
【００７０】
回路Ａは、アンプＡＭＰ４の一方の入力を、リターンジャックＪＫ４に入力されアンプＡＭＰ３を介した楽音信号とする（１側）か、グランドとする（２側）かを切り替える。回路Ｂは、効果付与回路２への入力を入力ジャックＪＫ２に入力されアンプＡＭＰ２を介した楽音信号とする（１側）か、リターンジャックＪＫ４に入力されアンプＡＭＰ３を介した楽音信号とする（２側）かを切り替える。回路Ｃは、スイッチＳＷ４の１側の接点を入力ジャックＪＫ２から入力されアンプＡＭＰ２を介した楽音信号とする（１側）か、リターンジャックＪＫ４に入力されアンプＡＭＰ３を介した楽音信号とする（２側）かを切り替えるものである。
【００７１】
スイッチＳＷ４は、アンプＡＭＰ１を介して出力ジャックＪＫ１により出力する信号をスイッチＳＷ５の回路Ｃにより選択された楽音信号とする（１側）か、アンプＡＭＰ４により合成された楽音信号とする（２側）かを切り替えるものである。
【００７２】
表３は、スイッチＳＷ４とスイッチＳＷ５との切替状態により設定される効果のかかりかたの状態を示すものである。
【００７３】
【表３】
2007304128.tif 000005
表３が示すように、スイッチＳＷ５が１側に設定され、スイッチＳＷ４が１側に設定された場合は、入力ジャックＪＫ２に入力された楽音信号がダイレクトに出力ジャックＪＫ１に出力され、スイッチＳＷ４が２側に設定された場合は、内部の効果付与回路２と外部に接続される効果装置３０とにより効果が付与される並列接続（パラレル接続）となる。
【００７４】
一方、スイッチＳＷ５が２側に設定され、スイッチＳＷ４が１側に設定された場合は、内部の効果付与回路２がバイパスされてセンドジャックＪＫ３に出力されて外部に接続された効果装置３０のみによる効果の付与が行われ、スイッチＳＷ４が２側に設定された場合は、まず、外部に接続される効果装置３０により効果が付与され、次に、内部の効果付与回路２により効果が付与される直列接続（シリーズ接続）となる。
【００７５】
いいかえれば、スイッチＳＷ４が２側に設定されている場合に、スイッチＳＷ５が１側に設定された場合（並列モード）は、入力ジャックＪＫ２に入力された楽音信号は、アンプＡＭＰ２を介してセンドジャックＪＫ３から出力されるとともに、回路Ｂを介して内部の効果付与回路２に入力される。アンプＡＭＰ４の一方には、内部の効果付与回路２により効果が付与された楽音信号が入力され、他方には、リターンジャックＪＫ４に入力された楽音信号がアンプＡＭＰ３と回路Ａを介して入力されて合成され、アンプＡＭＰ１により出力される。
【００７６】
一方、スイッチＳＷ５が２側に切り替えられた場合（直列モード）は、まず、入力ジャックＪＫ２に入力された楽音信号は、アンプＡＭＰ２を介してセンドジャックＪＫ３から出力され、次にリターンジャックＪＫ４に入力された楽音信号がアンプＡＭＰ３と回路Ｂを介して内部の効果付与回路２に入力される。アンプＡＭＰ４の一方の入力は、回路Ａにより、グランドに接続され、他方には、効果付与回路２の出力が入力されるので、まず、外部の効果装置３０により効果が付与され、次に内部の効果付与回路２により効果が付与された楽音信号が出力ジャックＪＫ１から出力される。
【００７７】
なお、スイッチＳＷ４が１側に設定された場合は、並列モードでは、入力ジャックＪＫ２に入力された楽音信号は、回路Ｃを介して出力ジャックＪＫ１に出力され、直列モードでは、外部に接続された効果装置３０のみにより効果が付与される。
【００７８】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【００７９】
例えば、上記実施形態では、効果付与回路２の内部構成については、説明を省いたが、アナログ回路により効果を付与するものや、アナログの楽音信号を所定のサンプリング周波数で、サンプリングしてデジタル信号に変換し、ＤＳＰ（Digital  Signal  Processor)により、効果を付与するものでもよい。
【００８０】
また、上記実施形態では、センドジャックＪＫ３およびリターンジャックＪＫ４は、それぞれ独立したモノーラルジャックであるものとしたが、例えばセンドジャックを左チャネル、リターンジャックを右チャネルとしたステレオジャックにより構成するようにしてもよい。このことにより、ジャックの構成が簡単になって製造コストを削減することができるとともに、ユーザにとっても、接続を行う作業が軽減される。
【００８１】
また、上記第１の実施形態では、スイッチＳＷ１は、アンプＡＭＰ２とアンプＡＭＰ４との出力を選択するものとしたが、アンプＡＭＰ４の出力とアンプＡＭＰ１の入力とを接続し、スイッチＳＷ１を、アンプＡＭＰ２の出力を効果付与回路２とセンドジャックとへ接続するか、アンプＡＭＰ１の入力へ接続するかを選択するものとしてもよい。
【００８２】
また、上記第３、第４の実施形態では、直列モードにおいては、先に内部の効果付与回路２により効果を付与し、次に外部に接続された効果装置３０により効果を付与し、第５の実施形態では、先に外部に接続された効果装置３０により効果を付与し、次に内部の効果付与回路２により効果を付与するものとしたが、新たな切替えスイッチを備え、そのスイッチにより、先に内部の効果付与回路２により効果を付与し、次に外部に接続された効果装置３０により効果を付与する場合と、先に外部に接続された効果装置３０により効果を付与し、次に内部の効果付与回路２により効果を付与する場合とを切り替えるようにしてもよい。
【００８３】
また、上記実施形態では、スイッチＳＷ４をペダル操作により切り替え、スイッチＳＷ３（スイッチＳＷ５）は、操作パネルに備えるものとしたが、ペダルＰを２つ備えて、足の操作により切り替えるようにしてもよい。
【図面の簡単な説明】
【００８４】
【図１】本発明の第１の実施形態における効果装置の電気的構成を示すブロック図である。
【図２】効果装置と外部に接続される効果装置との外観を示す平面図である。
【図３】第２の実施形態における効果装置の電気的構成を示すブロック図である。
【図４】第３の実施形態における効果装置の電気的構成を示すブロック図である。
【図５】第４の実施形態における効果装置の電気的構成を示すブロック図である。
【図６】第５の実施形態における効果装置の電気的構成を示すブロック図である。
【図７】従来の効果装置の電気的構成を示すブロック図である。
【符号の説明】
【００８５】
１                  効果装置
２                  効果付与回路（効果付与手段）
３０                外部に接続される効果装置
ＪＫ１              出力ジャック（出力端子）
ＪＫ２             
入力ジャック（入力端子）
ＪＫ３            
センドジャック（センド端子）
ＪＫ４             
リターンジャック（リターン端子）
ＡＭＰ４           
アンプ（合成手段）
ＡＭＰ５           
アンプ（位相反転手段）
ＳＷ１              スイッチ（効果切替え手段）
ＳＷ２              スイッチ（反転切替え手段）
ＳＷ３，５          スイッチ（モード切替え手段）
ＳＷ４              スイッチ（内部効果切替え手段）
【図１】
2007304128.tif 000006
【図２】
2007304128.tif 000007
【図３】
2007304128.tif 000008
【図４】
2007304128.tif 000009
【図５】
2007304128.tif 000010
【図６】
2007304128.tif 000011
【図７】
2007304128.tif 000012
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
楽音信号を入力する入力端子と、その入力端子により入力された楽音信号に効果を付与する効果付与手段と、その効果付与手段により効果が付与された楽音信号を出力する出力端子とを備えた効果装置において、
前記入力端子により入力された楽音信号を出力するセンド端子と、
前記入力端子により入力された楽音信号と異なる楽音信号を入力するリターン端子と、
そのリターン端子により入力された楽音信号と前記効果付与手段により効果が付与された楽音信号とを合成する合成手段とを備え、
前記出力端子は、前記合成手段により合成された楽音信号を出力することを特徴とする効果装置。
【請求項２】
前記入力端子により入力された楽音信号と前記合成手段により合成された楽音信号とのいずれかを選択する効果切替え手段を備え、
前記出力端子は、前記効果切替え手段により選択された楽音信号を出力することを特徴とする請求項１記載の効果装置。
【請求項３】
前記合成手段に前記効果付与手段により効果が付与された楽音信号を入力するか否かを選択する内部効果切替え手段を備えていることを特徴とする請求項１記載の効果装置。
【請求項４】
前記合成手段により合成された楽音信号を前記出力端子により出力する並列モードと、前記効果付与手段により効果が付与された楽音信号を前記センド端子により出力するとともに、前記リターン端子により入力された楽音信号を前記出力端子により出力する直列モードとのいずれかに設定するモード切替え手段を備えていることを特徴とする請求項１記載の効果装置。
【請求項５】
前記合成手段により合成された楽音信号を前記出力端子により出力する並列モードと、前記入力端子により入力された楽音信号を前記センド端子により出力するとともに、前記リターン端子により入力された楽音信号を前記効果付与手段に入力し、その効果付与手段により効果が付与された楽音信号を前記出力端子により出力する直列モードとのいずれかに設定するモード切替え手段を備えていることを特徴とする請求項１記載の効果装置。
【請求項６】
前記モード切替え手段により直列モードが選択されている場合において、前記入力端子により入力された楽音信号と、効果が付与された楽音信号とのいずれかを選択する効果切替え手段を備え、
前記出力端子は、前記効果切替え手段により選択された楽音信号を出力することを特徴とする請求項４または５記載の効果装置。
【請求項７】
前記モード切替え手段により並列モードが選択されている場合において、前記入力端子により入力された楽音信号と、前記合成手段により合成された楽音信号とのいずれかを選択する効果切替え手段を備え、
前記出力端子は、前記効果切替え手段により選択された楽音信号を出力することを特徴とする請求項４または５記載の効果装置。
【請求項８】
前記モード切替え手段により直列モードが選択されている場合において、前記効果付与手段により効果を付与するか否かを選択する内部効果切替え手段を備えていることを特徴とする請求項４または５記載の効果装置。
【請求項９】
前記モード切替え手段により並列モードが選択されている場合において、前記合成手段に前記効果付与手段により効果が付与された楽音信号を入力するか否かを選択する内部効果切替え手段を備えていることを特徴とする請求項４または５記載の効果装置。
【請求項１０】
前記リターン端子に入力された楽音信号の位相を反転する位相反転手段と、その位相反転手段により位相を反転するか否かを設定する反転切替え手段を備えていることを特徴とする請求項１から９のいずれかに記載の効果装置。
【手続補正２】
【補正対象書類名】明細書
【補正対象項目名】全文
【補正方法】変更
【補正の内容】
【発明の詳細な説明】
【技術分野】
【０００１】
本発明は、効果装置に関し、特に容易に他の効果装置を並列接続することができる効果装置に関する。
【背景技術】
【０００２】
従来、楽音信号を入力し、その入力した楽音信号に効果を付与して出力する効果装置（エフェクタ）が知られている。特に、電気ギターの出力に様々な効果を付与することが行われ、各種効果装置が提供されている。
【０００３】
図７は、従来の効果装置３０の電気的構成を示すブロック図である。従来の効果装置３０は、入力ジャックＪＫ２、アンプＡＭＰ１、アンプＡＭＰ２、スイッチＳＷ１、効果付与回路２、出力ジャックＪＫ１により構成される。入力ジャックＪＫ２には、電気ギターやシンセサイザーなどと接続する接続コードの一端に設けられたプラグが挿入され、電気ギターやシンセサイザーなどにより発生された楽音信号が入力される。
【０００４】
入力ジャックＪＫ２から入力された楽音信号は、アンプＡＭＰ２を介して効果付与回路２に入力されるとともに、スイッチＳＷ１の一方の入力端子（１側）に接続される。効果付与回路２の出力は、スイッチＳＷ１の他方の入力端子（２側）に接続され、スイッチＳＷ１の出力端子は、アンプＡＭＰ１を介して出力ジャックＪＫ１に接続される。効果付与回路２は、ディストーションと呼ばれる楽音に歪みを付加する歪み系の効果を付与するものや、楽音に残響、またはディレイを付加する残響系の効果を付与するものなどがある。
【０００５】
出力ジャックＪＫ１には、スピーカを駆動するアンプ（図示なし）と接続する接続コードの一端に設けられたプラグが挿入される。スイッチＳＷ１は、演奏者が足で操作することができるフットペダルなどに備えられ、ギターやシンセサイザーを両手を使用して演奏している間に、足で操作することができる。
【０００６】
スイッチＳＷ１を操作して、１側に接続した場合には、入力された楽音信号は、効果が付与されず出力ジャックＪＫ１から出力され、２側に接続した場合は、入力された楽音信号に効果付与回路２により効果が付与された楽音信号が出力ジャックＪＫ１から出力される。
【０００７】
特開２００４−２５８２４４号公報（特許文献１）には、入力された楽音信号を一時記憶し、設定された時間後に出力するディレイ効果を付与する効果装置が開示されている。
【特許文献１】特開２００４−２５８２４４号公報
【発明の開示】
【発明が解決しようとする課題】
【０００８】
しかしながら、従来の効果装置は、入力ジャックと出力ジャックをそれぞれ１つしか備えておらず、他の効果装置を直列接続することは容易に行うことができたが、並列接続することは容易ではなかった。そのために、直列接続を行っていたが、直列接続を行った場合には、後段の効果装置の効果が支配的になり、所望の効果を得ることができないという問題点があった。
【０００９】
ここで、直列接続とは、前段の効果装置の出力を後段の効果装置に入力し、後段の出力をアンプなどに入力する接続方法であり、並列接続とは、楽音信号を複数の効果装置にそれぞれ直接入力し、これらの効果装置の出力を合成する接続方法である。
【００１０】
従来の効果装置を用いて並列接続を行うには、効果装置の入力側において楽音信号を分岐する手段と、効果装置の出力側において合成を行う手段とが必要となり、その設定が煩雑になるという問題点もあった。
【００１１】
本発明は、上述した問題点を解決するためになされたものであり、容易に他の効果装置と並列接続することができる効果装置を提供することを目的とする。
【課題を解決するための手段】
【００１２】
この目的を達成するために、請求項１記載の効果装置は、楽音信号を入力する入力端子と、その入力端子により入力された楽音信号に効果を付与する効果付与手段と、その効果付与手段により効果が付与された楽音信号を出力する出力端子とを備えたものであり、前記入力端子により入力された楽音信号を出力するセンド端子と、前記入力端子により入力された楽音信号と異なる楽音信号を入力するリターン端子と、そのリターン端子により入力された楽音信号と前記効果付与手段により効果が付与された楽音信号とを合成する合成手段とを備え、前記出力端子は、前記合成手段により合成された楽音信号を出力する。
【００１３】
請求項２記載の効果装置は、請求項１記載の効果装置において、前記入力端子により入力された楽音信号と前記合成手段により合成された楽音信号とのいずれかを選択する効果切替え手段を備え、前記出力端子は、前記効果切替え手段により選択された楽音信号を出力する。
【００１４】
請求項３記載の効果装置は、請求項１記載の効果装置において、前記合成手段に前記効果付与手段により効果が付与された楽音信号を入力するか否かを選択する内部効果切替え手段を備えている。
【００１５】
請求項４記載の効果装置は、請求項１記載の効果装置において、前記合成手段により合成された楽音信号を前記出力端子により出力する並列モードと、前記効果付与手段により効果が付与された楽音信号を前記センド端子により出力するとともに、前記リターン端子により入力された楽音信号を前記出力端子により出力する直列モードとのいずれかに設定するモード切替え手段を備えている。
【００１６】
請求項５記載の効果装置は、請求項１記載の効果装置において、前記合成手段により合成された楽音信号を前記出力端子により出力する並列モードと、前記入力端子により入力された楽音信号を前記センド端子により出力するとともに、前記リターン端子により入力された楽音信号を前記効果付与手段に入力し、その効果付与手段により効果が付与された楽音信号を前記出力端子により出力する直列モードとのいずれかに設定するモード切替え手段を備えている。
【００１７】
請求項６記載の効果装置は、請求項４または５記載の効果装置において、前記モード切替え手段により直列モードが選択されている場合において、前記入力端子により入力された楽音信号と、効果が付与された楽音信号とのいずれかを選択する効果切替え手段を備え、前記出力端子は、前記効果切替え手段により選択された楽音信号を出力する。
請求項７記載の効果装置は、請求項４または５記載の効果装置において、前記モード切替え手段により並列モードが選択されている場合において、前記入力端子により入力された楽音信号と、前記合成手段により合成された楽音信号とのいずれかを選択する効果切替え手段を備え、前記出力端子は、前記効果切替え手段により選択された楽音信号を出力する。
【００１８】
請求項８記載の効果装置は、請求項４または５記載の効果装置において、前記モード切替え手段により直列モードが選択されている場合において、前記効果付与手段により効果を付与するか否かを選択する内部効果切替え手段を備えている。
【００１９】
請求項９記載の効果装置は、請求項４または５記載の効果装置において、前記モード切替え手段により並列モードが選択されている場合において、前記合成手段に前記効果付与手段により効果が付与された楽音信号を入力するか否かを選択する内部効果切替え手段を備えている。
【００２０】
【００２１】
請求項１０記載の効果装置は、請求項１から９のいずれかに記載の効果装置において、前記リターン端子に入力された楽音信号の位相を反転する位相反転手段と、その位相反転手段により位相を反転するか否かを設定する反転切替え手段を備えている。
【発明の効果】
【００２２】
請求項１記載の効果装置によれば、入力端子により入力された楽音信号を出力するセンド端子と、入力端子により入力された楽音信号と異なる楽音信号を入力するリターン端子と、そのリターン端子により入力された楽音信号と効果付与手段により効果が付与された楽音信号とを合成する合成手段とを備え、出力端子は、合成手段により合成された楽音信号を出力するので、センド端子から出力される楽音信号を入力して、前記効果付与手段が付与する効果とは異なる効果を付与する第２の効果装置を接続し、その第２の効果装置の出力をリターン端子に接続することにより、効果装置が付与する効果と、第２の効果装置が付与する効果とを並列に付与することができるという効果がある。
【００２３】
請求項２記載の効果装置によれば、請求項１記載の効果装置の奏する効果に加え、入力端子により入力された楽音信号と合成手段により合成された楽音信号とのいずれかを選択する効果切替え手段を備え、出力端子は、効果切替え手段により選択された楽音信号を出力するので、合成手段により合成された楽音信号、すなわち内部に備えられた効果付与手段と外部に並列接続された効果装置とにより効果が付与された楽音信号と、入力端子により入力された楽音信号、すなわち効果が付与されていない楽音信号とを任意に選択することができるという効果がある。
【００２４】
請求項３記載の効果装置によれば、請求項１記載の効果装置の奏する効果に加え、合成手段に効果付与手段により効果が付与された楽音信号を入力するか否かを選択する内部効果切替え手段を備えているので、内部に備えられている効果付与手段による効果を付与するかしないかのみを選択することができる。すなわち、外部に接続される効果だけを付与することができる。
【００２５】
請求項４記載の効果装置によれば、請求項１記載の効果装置の奏する効果に加え、合成手段により合成された楽音信号を出力端子により出力する並列モードと、効果付与手段により効果が付与された楽音信号をセンド端子により出力するとともに、リターン端子により入力された楽音信号を出力端子により出力する直列モードとのいずれかを選択する切替え手段を備えているので、効果付与手段により付与する効果と外部に接続する効果装置により付与する効果とを並列に付与する場合とを容易に切り替えることができるという効果がある。
【００２６】
請求項５記載の効果装置によれば、請求項１記載の効果装置の奏する効果に加え、合成手段により合成された楽音信号を出力端子により出力する並列モードと、入力端子により入力された楽音信号をセンド端子により出力するとともに、リターン端子により入力された楽音信号を効果付与手段に入力し、その効果付与手段により効果が付与された楽音信号を出力端子により出力する直列モードとのいずれかに設定するモード切替え手段を備えているので、効果付与手段により付与する効果と外部に接続する効果装置により付与する効果とを並列に付与する場合と、直列に付与する場合とを、容易に切り替えることができるという効果がある。
【００２７】
請求項６記載の効果装置によれば、請求項４または５記載の効果装置の奏する効果に加え、モード切替え手段により直列モードが選択されている場合において、入力端子により入力された楽音信号と、効果が付与された楽音信号とのいずれかを選択する効果切替え手段を備え、出力端子は、効果切替え手段により選択された楽音信号を出力するので、直列モードにおいて、入力端子により入力された効果が付与されない楽音信号と、効果が付与された楽音信号とのいずれかを選択して出力することができる。
請求項７記載の効果装置によれば、請求項４または５記載の効果装置の奏する効果に加え、モード切替え手段により並列モードが選択されている場合において、入力端子により入力された楽音信号と、合成手段により合成された楽音信号とのいずれかを選択する効果切替え手段を備え、出力端子は、効果切替え手段により選択された楽音信号を出力するので、並列モードにおいて、入力端子により入力された効果が付与されない楽音信号と、合成手段により合成された楽音信号とのいずれかを選択して出力することができる。
【００２８】
請求項８記載の効果装置によれば、請求項４または５記載の効果装置の奏する効果に加え、モード切替え手段により直列モードが選択されている場合において、効果付与手段により効果を付与するか否かを選択する内部効果切替え手段を備えているので、直列モードにおいて、内部の効果付与手段をバイパスし、外部に接続される効果装置のみにより効果を付与することができる。
【００２９】
請求項９記載の効果装置によれば、請求項４または５記載の効果装置の奏する効果に加え、モード切替え手段により並列モードが選択されている場合において、合成手段に効果付与手段により効果が付与された楽音信号を入力するか否かを選択する内部効果切替え手段を備えているので、並列モードにおいて、内部の効果付与手段により効果を付与せずに、外部に接続される効果装置のみにより効果を付与することができる。
【００３０】
【００３１】
請求項１０記載の効果装置によれば、請求項１から９いずれかに記載の効果装置の奏する効果に加え、リターン端子に入力された楽音信号の位相を反転する位相反転手段と、その位相反転手段により位相を反転するか否かを設定する反転切替え手段を備えているので、リターン端子に入力される楽音信号の位相が反転されていて、効果付与手段により効果が付与された楽音信号と合成する際に、打ち消し合って違和感のある音色になることを防止することができる。
【発明を実施するための最良の形態】
【００３２】
以下、本発明の好ましい実施例について、添付図面を参照して説明する。図１は、本発明の第１の実施形態による効果装置１の電気的構成を示すブロック図である。効果装置１は、入力ジャックＪＫ２、アンプＡＭＰ１、アンプＡＭＰ２、アンプＡＭＰ３、アンプＡＭＰ４、スイッチＳＷ１、効果付与回路２、出力ジャックＪＫ１、センドジャックＪＫ３、リターンジャックＪＫ４により構成される。
【００３３】
入力ジャックＪＫ２には、従来のものと同様に電気ギターやシンセサイザーなどと接続する接続コードの一端に設けられたプラグが挿入され、電気ギターやシンセサイザーなどにより発生された楽音信号が入力される。
【００３４】
アンプＡＭＰ１、アンプＡＭＰ２、アンプＡＭＰ３は、バッファであって、アンプＡＭＰ４は、２つの入力により入力された楽音信号を合成して出力するものであり、効果付与回路２は、従来のものと同様に入力された楽音信号にディストーションやディレイなどの効果を付与するものである。
【００３５】
入力ジャックＪＫ２から入力された楽音信号は、アンプＡＭＰ２を介して効果付与回路２に入力されるとともに、スイッチＳＷ１の一方の入力端子（１側）とセンドジャックＪＫ３に接続される。
【００３６】
効果付与回路２の出力とリターンジャックＪＫ４に入力されてアンプＡＭＰ３により出力された楽音信号とは、アンプＡＭＰ４の入力にそれぞれ接続され、アンプＡＭＰ４により合成されてスイッチＳＷ１の他方の入力端子（２側）に接続される。スイッチＳＷ１の出力は、アンプＡＭＰ１を介して出力ジャックＪＫ１に接続される。
【００３７】
スイッチＳＷ１が操作されて１側に設定された場合は、入力ジャックＪＫ２に入力された楽音信号が出力ジャックＪＫ１に出力され、効果が付与されない。スイッチＳＷ１が、２側に設定された場合は、効果付与回路２により効果が付与された楽音信号と、外部に接続された効果装置により効果が付与され、リターンジャックＪＫ４により入力された楽音信号とがアンプＡＭＰ４により合成されて、出力ジャックＪＫ１に出力される。
【００３８】
出力ジャックＪＫ１には、従来のものと同様にスピーカを駆動するアンプ（図示なし）と接続する接続コードの一端に設けられたプラグが挿入される。スイッチＳＷ１は、演奏者が足で操作することができるフットペダルなどに備えられ、ギターやシンセサイザーを両手を使用して演奏している間に、足で操作することができる。また、効果付与回路２は、図示しない電池により電源が供給される。
【００３９】
図２は、本発明による効果装置１と従来の効果装置３０とを接続した場合の外観を示す平面図である。図２に示すように、効果装置１のセンドジャックＪＫ３と効果装置３０の入力ジャックＪＫ２とは、接続コード１４により接続され、効果装置３０の出力ジャックＪＫ１と効果装置１のリターンジャックＪＫ４とは、接続コード１３により接続されている。また、効果装置１の入力ジャックＪＫ２には、電気ギターなどと接続する接続コード１１が、効果装置１の出力ジャックＪＫ１には、スピーカを駆動するアンプと接続する接続コード１２がそれぞれ接続されている。
【００４０】
また、各効果装置の上面パネルには、各種操作子とＬＥＤとペダルＰとが備えられている。ペダルＰは、一端を軸として揺動する操作部が常態ではバネにより上方に保持され、足などで踏み込むことにより揺動して押下され、操作部が押下されることによりスイッチＳＷ１がトグル動作を行うように構成されている。
【００４１】
ＬＥＤは、ペダルＰの操作によりスイッチＳＷ１が切り替わり、効果を付与した楽音信号が出力される状態では点灯され、効果を付与していない入力された楽音信号が出力される状態では消灯される。また、操作パネルには、効果付与回路２により楽音信号に効果を付与する際のパラメータを設定する複数の操作子が備えられている。例えば、出力する楽音信号の音量を制御するレベル（LEVEL）つまみや、楽音信号の周波数特性を調整するトーン（TONE）つまみなどがある。
【００４２】
この態様においては、効果装置１は、効果としてディストーションを付与するものであり、効果装置３０は、効果としてオーバードライブを付与するものであり、効果装置１のペダルＰを操作して、効果を掛ける状態に設定した場合は、効果装置１と効果装置３０とが並列接続となり、入力された楽音信号に、効果装置１によりディストーションが付加された楽音信号と、効果装置３０によりオーバードライブが付加された楽音信号とが合成されて出力される。なお、この状態で、効果装置３０のペダルＰが操作されて効果装置３０により、効果が付与されない状態が設定された場合は、効果装置１によりディストーションが付加された楽音信号と、入力された楽音信号とが合成されて出力される。
【００４３】
以上のように、上記第１の実施態様では、外部に接続する効果装置３０を効果装置１と並列接続することができ、直列接続することにより、後段の支配力が大きくなるようなことを防止することができる。
【００４４】
次に、図３を参照して第２の実施態様について説明する。図３は、第２の実施態様の効果装置１の電気的構成を示すブロック図である。なお、前記した第１の実施態様の効果装置１と同一部分には、同一の符号を付してその説明は省略し、異なる部分についてのみ説明する。
【００４５】
図３に示すように、第１の実施形態と異なる点は、アンプＡＭＰ３と、アンプＡＭＰ４との間に、位相反転用のアンプＡＭＰ５とスイッチＳＷ２とが備えられた点である。
【００４６】
リターンジャックＪＫ４の入力は、アンプＡＭＰ３に入力され、アンプＡＭＰ３の出力は、入力信号の位相を反転するインバータであるアンプＡＭＰ５の入力と、スイッチＳＷ２の入力端子の２側に接続され、アンプＡＭＰ５の出力は、スイッチＳＷ２の入力端子の１側に接続され、スイッチＳＷ２の出力端子は、アンプＡＭＰ４の一方の入力に接続される。
【００４７】
外部に並列接続される効果装置からリターンジャックＪＫ４を介して入力される楽音信号の位相が、効果付与回路２により効果が付与された楽音信号の位相に対して反転している場合があり、その場合には、相互に楽音信号を打ち消し合って、意図しない音色になる場合がある。この状態を回避するために、インバータであるアンプＡＭＰ５を備え、位相を反転した楽音信号と、位相を反転しない楽音信号のいずれかをスイッチＳＷ２により、任意に選択することができるようにしたものである。演奏者は、合成された楽音を試聴し、合成された楽音が意図しない音色になった場合は、スイッチＳＷ２を切り替えることにより、正常な音色に設定することができる。なお、スイッチＳＷ２は、操作パネルにトグルスイッチ、またはスライドスイッチなどを取付けることにより形成される。
【００４８】
次に、図４を参照して第３の実施態様について説明する。図４は、第３の実施態様の効果装置１の電気的構成を示すブロック図である。なお、前記した第１の実施態様の効果装置１と同一部分には、同一の符号を付してその説明は省略し、異なる部分についてのみ説明する。第１の実施態様では、外部に接続する効果装置３０を並列接続するものであったが、第３の実施態様では、外部に接続する効果装置３０を並列接続するか、直列接続するかをスイッチにより選択することができるものである。
【００４９】
図４に示すように、第３の実施態様の効果装置１には、３つの回路Ａ，Ｂ，Ｃを同時に切り替えるスイッチＳＷ３が備えられる。回路Ａは、リターンジャックＪＫ４に入力され、アンプＡＭＰ３から出力された楽音信号を、アンプＡＭＰ４の入力へ出力する（１側）か、出力ジャックＪＫ１への接続を切替える回路Ｃの端子２へ出力する（２側）かを選択するものである。
【００５０】
回路Ｂは、センドジャックＪＫ３への出力を、入力ジャックＪＫ２に入力され、アンプＡＭＰ２から出力された楽音信号とする（１側）か、アンプＡＭＰ１から出力された楽音信号とする（２側）かを選択するものである。回路Ｃは、出力ジャックＪＫ１への接続を切替えるもので、アンプＡＭＰ１から出力された楽音信号とする（１側）か、回路Ａの端子２に接続される、リターンジャックＪＫ４に入力され、アンプＡＭＰ３から出力された楽音信号とする（２側）かを選択するものである。
【００５１】
また、スイッチＳＷ４は、入力ジャックＪＫ２に入力された楽音信号とアンプＡＭＰ４の出力とを切り替えてアンプＡＭＰ１に出力するものであり、ペダルＰの操作により切り替えられる。なお、スイッチＳＷ３は、操作パネルに、トグルスイッチ、またはスライドスイッチなどを取付けることにより形成される。
【００５２】
表１は、ＳＷ３とＳＷ４との切替状態により設定される効果のかかりかたの状態を示すものである。
【００５３】
【表１】
2007304128.tif 000013
表１が示すように、スイッチＳＷ３が１側に設定され、スイッチＳＷ４が１側に設定された場合は、入力ジャックＪＫ２に入力された楽音信号がダイレクトに出力ジャックＪＫ１に出力され、スイッチＳＷ４が２側に設定された場合は、内部の効果付与回路２と外部に接続される効果装置３０とにより効果が付与される並列接続（パラレル接続）となる。
【００５４】
一方、スイッチＳＷ３が２側に設定され、スイッチＳＷ４が１側に設定された場合は、内部の効果付与回路２がバイパスされてセンドジャックＪＫ３に出力され、外部に接続された効果装置３０のみによる効果の付与が行われ、スイッチＳＷ４が２側に設定された場合は、まず、内部の効果付与回路２により効果が付与され、次に、外部に接続される効果装置３０により効果が付与される直列接続（シリーズ接続）となる。
【００５５】
いいかえれば、スイッチＳＷ４が２側に設定され、スイッチＳＷ３が１側に設定されている場合は、入力ジャックＪＫ２に入力された楽音信号は、アンプＡＭＰ２を介して効果付与回路２に入力されるとともに、スイッチＳＷ４を介してセンドジャックＪＫ３から出力される。外部に接続される効果装置３０は、このセンドジャックＪＫ３から出力された楽音信号を入力し、効果を付与してリターンジャックＪＫ４に戻す。
【００５６】
リターンジャックＪＫ４に入力された楽音信号は、アンプＡＭＰ３を介してアンプＡＭＰ４の一方の入力に入力され、効果付与回路２により効果が付与された楽音信号は、アンプＡＭＰ４の他方の入力に入力され合成される。アンプＡＭＰ４により合成された楽音信号は、アンプＡＭＰ１を介して出力ジャックＪＫ１から出力される。したがって、この場合は、外部の効果装置３０は、並列接続される。
【００５７】
スイッチＳＷ４を２側に設定したまま、スイッチＳＷ３を２側に設定した場合は、入力ジャックＪＫ２に入力された楽音信号は、アンプＡＭＰ２を介して効果付与回路２に入力され、効果付与回路２により効果が付与された楽音信号は、アンプＡＭＰ４およびアンプＡＭＰ１を介してセンドジャックＪＫ３から出力される。外部に接続される効果装置３０は、このセンドジャックＪＫ３から出力された楽音信号を入力し、効果を付与してリターンジャックＪＫ４に戻す。
【００５８】
リターンジャックＪＫ４に入力された楽音信号は、アンプＡＭＰ３を介して出力ジャックＪＫ１から出力される。したがって、この場合は、外部の効果装置３０は、直列接続される。よって、スイッチＳＷ４を２側に設定している場合には、スイッチＳＷ３を切替えることにより外部に接続された効果装置３０との接続を、直列接続と、並列接続とのいずれかに切替えることができる。
【００５９】
なお、スイッチＳＷ４を１側に設定した場合は、スイッチＳＷ３を１側に設定した並列接続の場合は、入力ジャックＪＫ２に入力された楽音信号は、アンプＡＭＰ２およびＡＭＰ１を介して出力ジャックＪＫ１から出力され、効果は付与されない。また、スイッチＳＷ４を１側に設定し、スイッチＳＷ３を２側に設定する（図４に示す状態）と、入力ジャックＪＫ２に入力された楽音信号は、アンプＡＭＰ２およびＡＭＰ１を介してセンドジャックＪＫ３から出力され、外部に接続される効果装置３０により効果が付与された楽音信号がリターンジャックＪＫ４に入力され、アンプＡＭＰ３を介して出力ジャックＪＫ１から出力される。したがって、この場合は、外部に接続された効果装置３０の効果だけが付与される。
【００６０】
以上、第３の実施態様に基づいて説明したように、スイッチＳＷ３を備えることにより、外部に接続された効果装置３０との結線などを変えることなく、並列接続と直列接続とを任意に切り替えることができる。
【００６１】
次に、図５を参照して第４の実施態様について説明する。図５は、第４の実施態様の効果装置１の電気的構成を示すブロック図である。なお、前記した第１〜３の実施態様の効果装置１と同一部分には、同一の符号を付してその説明は省略し、異なる部分についてのみ説明する。第３の実施態様では、スイッチＳＷ４を切り替えることにより、直列モードの場合は、内部の効果付与回路２をバイパスし、外部に接続される効果装置３０のみにより効果を付与するが、並列モードの場合は、入力ジャックＪＫ２に入力された楽音信号をダイレクトに出力するものであった。
【００６２】
第４の実施態様では、直列モードであっても並列モードであっても、スイッチＳＷ４を切り替えることにより、内部の効果付与回路２により効果を付与しない場合も、外部に接続される効果装置３０のみにより効果を付与するようにしたものである。
【００６３】
この実施態様では、２つの回路Ｄ，Ｅを同時に切り替えるスイッチＳＷ４を備え、回路Ｄは、ＳＷ３により直列モードが選択されている場合に、センドジャックＪＫ３への接続を、入力ジャックから入力され、アンプＡＭＰ２から出力された楽音信号とする（１側）か、効果付与回路２により効果が付与された楽音信号とする（２側）かを切替え、回路Ｅは、アンプＡＭＰ４の一方の入力をグランドとする（１側）か、効果付与回路２により効果が付与された楽音信号とする（２側）かを切替えるものである。表２は、ＳＷ３とＳＷ４との切替状態により設定される効果のかかりかたの状態を示すものである。
【００６４】
【表２】
2007304128.tif 000014
表２が示すように、スイッチＳＷ３が１側に設定され、スイッチＳＷ４が１側に設定された場合は、入力ジャックＪＫ２に入力された楽音信号がセンドジャックＪＫ３に出力されて外部に接続される効果装置３０のみより効果が付与され、スイッチＳＷ４が２側に設定された場合は、内部の効果付与回路２と外部に接続される効果装置３０とにより効果が付与される並列接続（パラレル接続）となる。
【００６５】
一方、スイッチＳＷ３が２側に設定され、スイッチＳＷ４が１側に設定された場合は、内部の効果付与回路２がバイパスされてセンドジャックＪＫ３に出力され、外部に接続された効果装置３０のみによる効果の付与が行われ、スイッチＳＷ４が２側に設定された場合は、まず、内部の効果付与回路２により効果が付与され、次に、外部に接続される効果装置３０により効果が付与される直列接続（シリーズ接続）となる。
【００６６】
いいかえれば、スイッチＳＷ３が１側に切り替えられて並列モードに選択されている場合は、スイッチＳＷ４が１側に切り替えられると、回路Ｅにより効果付与回路２の出力は遮断され、外部に接続された効果装置３０により効果が付与された楽音信号のみがアンプＡＭＰ４に入力され、スイッチＳＷ４が２側に切り替えられると、効果付与回路２の出力は、アンプＡＭＰ４に入力されるので、並列接続となる。
【００６７】
スイッチＳＷ３が２側に切り替えられて直列モードに選択されている場合は、スイッチＳＷ４が１側に切り替えられると、回路ＤによりセンドジャックＪＫ３には、入力ジャックＪＫ２に入力された楽音信号が出力され、外部に接続された効果装置３０のみにより効果が付与された楽音信号がリターンジャックＪＫ４に入力され、さらにアンプＡＭＰ３およびアンプＡＭＰ１を介して出力ジャックＪＫ１から出力される。スイッチＳＷ４が２側に切り替えられると、センドジャックＪＫ３には、効果付与回路２により効果が付与された楽音信号が供給され、外部に接続された効果装置３０によりさらに効果が付与されて、リターンジャックＪＫ４に入力され、さらにアンプＡＭＰ３およびアンプＡＭＰ１を介して出力ジャックＪＫ１から出力される。
【００６８】
よって、第４の実施態様では、ＳＷ４を切り替えることにより、直列モード、並列モードのいずれの場合であっても、外部に接続された効果装置３０のみにより効果を付与する場合を設定することができる。
【００６９】
次に図６を参照して、第５の実施態様について説明する。図６は、第５の実施態様の効果装置１の電気的構成を示すブロック図である。なお、前記した第１〜４の実施態様の効果装置１と同一部分には、同一の符号を付してその説明は省略し、異なる部分についてのみ説明する。第３および第４の実施態様では、直列モードと並列モードとを切り替えることができ、直列モードにおいては、先に内部の効果付与回路２により効果を付与し、次に外部に接続される効果装置３０により効果を付与するものであったが、第５の実施態様では、同様に、直列モードと並列モードとを切り替えることができ、直列モードにおいては、先に外部に接続される効果装置３０により効果を付与し、次に、内部の効果付与回路２により効果を付与するものである。
図６に示すように、センドジャックＪＫ３には、アンプＡＭＰ２の出力が接続され、入力ジャックＪＫ２に入力される楽音信号が常に供給される。直列モードと並列モードとを切り替えるスイッチＳＷ５は、３つの回路Ａ、Ｂ、Ｃを同時に切り替えるものである。
【００７０】
回路Ａは、アンプＡＭＰ４の一方の入力を、リターンジャックＪＫ４に入力されアンプＡＭＰ３を介した楽音信号とする（１側）か、グランドとする（２側）かを切り替える。回路Ｂは、効果付与回路２への入力を入力ジャックＪＫ２に入力されアンプＡＭＰ２を介した楽音信号とする（１側）か、リターンジャックＪＫ４に入力されアンプＡＭＰ３を介した楽音信号とする（２側）かを切り替える。回路Ｃは、スイッチＳＷ４の１側の接点を入力ジャックＪＫ２から入力されアンプＡＭＰ２を介した楽音信号とする（１側）か、リターンジャックＪＫ４に入力されアンプＡＭＰ３を介した楽音信号とする（２側）かを切り替えるものである。
【００７１】
スイッチＳＷ４は、アンプＡＭＰ１を介して出力ジャックＪＫ１により出力する信号をスイッチＳＷ５の回路Ｃにより選択された楽音信号とする（１側）か、アンプＡＭＰ４により合成された楽音信号とする（２側）かを切り替えるものである。
【００７２】
表３は、スイッチＳＷ４とスイッチＳＷ５との切替状態により設定される効果のかかりかたの状態を示すものである。
【００７３】
【表３】
2007304128.tif 000015
表３が示すように、スイッチＳＷ５が１側に設定され、スイッチＳＷ４が１側に設定された場合は、入力ジャックＪＫ２に入力された楽音信号がダイレクトに出力ジャックＪＫ１に出力され、スイッチＳＷ４が２側に設定された場合は、内部の効果付与回路２と外部に接続される効果装置３０とにより効果が付与される並列接続（パラレル接続）となる。
【００７４】
一方、スイッチＳＷ５が２側に設定され、スイッチＳＷ４が１側に設定された場合は、内部の効果付与回路２がバイパスされてセンドジャックＪＫ３に出力されて外部に接続された効果装置３０のみによる効果の付与が行われ、スイッチＳＷ４が２側に設定された場合は、まず、外部に接続される効果装置３０により効果が付与され、次に、内部の効果付与回路２により効果が付与される直列接続（シリーズ接続）となる。
【００７５】
いいかえれば、スイッチＳＷ４が２側に設定されている場合に、スイッチＳＷ５が１側に設定された場合（並列モード）は、入力ジャックＪＫ２に入力された楽音信号は、アンプＡＭＰ２を介してセンドジャックＪＫ３から出力されるとともに、回路Ｂを介して内部の効果付与回路２に入力される。アンプＡＭＰ４の一方には、内部の効果付与回路２により効果が付与された楽音信号が入力され、他方には、リターンジャックＪＫ４に入力された楽音信号がアンプＡＭＰ３と回路Ａを介して入力されて合成され、アンプＡＭＰ１により出力される。
【００７６】
一方、スイッチＳＷ５が２側に切り替えられた場合（直列モード）は、まず、入力ジャックＪＫ２に入力された楽音信号は、アンプＡＭＰ２を介してセンドジャックＪＫ３から出力され、次にリターンジャックＪＫ４に入力された楽音信号がアンプＡＭＰ３と回路Ｂを介して内部の効果付与回路２に入力される。アンプＡＭＰ４の一方の入力は、回路Ａにより、グランドに接続され、他方には、効果付与回路２の出力が入力されるので、まず、外部の効果装置３０により効果が付与され、次に内部の効果付与回路２により効果が付与された楽音信号が出力ジャックＪＫ１から出力される。
【００７７】
なお、スイッチＳＷ４が１側に設定された場合は、並列モードでは、入力ジャックＪＫ２に入力された楽音信号は、回路Ｃを介して出力ジャックＪＫ１に出力され、直列モードでは、外部に接続された効果装置３０のみにより効果が付与される。
【００７８】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【００７９】
例えば、上記実施形態では、効果付与回路２の内部構成については、説明を省いたが、アナログ回路により効果を付与するものや、アナログの楽音信号を所定のサンプリング周波数で、サンプリングしてデジタル信号に変換し、ＤＳＰ（Digital  Signal  Processor)により、効果を付与するものでもよい。
【００８０】
また、上記実施形態では、センドジャックＪＫ３およびリターンジャックＪＫ４は、それぞれ独立したモノーラルジャックであるものとしたが、例えばセンドジャックを左チャネル、リターンジャックを右チャネルとしたステレオジャックにより構成するようにしてもよい。このことにより、ジャックの構成が簡単になって製造コストを削減することができるとともに、ユーザにとっても、接続を行う作業が軽減される。
【００８１】
また、上記第１の実施形態では、スイッチＳＷ１は、アンプＡＭＰ２とアンプＡＭＰ４との出力を選択するものとしたが、アンプＡＭＰ４の出力とアンプＡＭＰ１の入力とを接続し、スイッチＳＷ１を、アンプＡＭＰ２の出力を効果付与回路２とセンドジャックとへ接続するか、アンプＡＭＰ１の入力へ接続するかを選択するものとしてもよい。
【００８２】
また、上記第３、第４の実施形態では、直列モードにおいては、先に内部の効果付与回路２により効果を付与し、次に外部に接続された効果装置３０により効果を付与し、第５の実施形態では、先に外部に接続された効果装置３０により効果を付与し、次に内部の効果付与回路２により効果を付与するものとしたが、新たな切替えスイッチを備え、そのスイッチにより、先に内部の効果付与回路２により効果を付与し、次に外部に接続された効果装置３０により効果を付与する場合と、先に外部に接続された効果装置３０により効果を付与し、次に内部の効果付与回路２により効果を付与する場合とを切り替えるようにしてもよい。
【００８３】
また、上記実施形態では、スイッチＳＷ４をペダル操作により切り替え、スイッチＳＷ３（スイッチＳＷ５）は、操作パネルに備えるものとしたが、ペダルＰを２つ備えて、足の操作により切り替えるようにしてもよい。
【図面の簡単な説明】
【００８４】
【図１】本発明の第１の実施形態における効果装置の電気的構成を示すブロック図である。
【図２】効果装置と外部に接続される効果装置との外観を示す平面図である。
【図３】第２の実施形態における効果装置の電気的構成を示すブロック図である。
【図４】第３の実施形態における効果装置の電気的構成を示すブロック図である。
【図５】第４の実施形態における効果装置の電気的構成を示すブロック図である。
【図６】第５の実施形態における効果装置の電気的構成を示すブロック図である。
【図７】従来の効果装置の電気的構成を示すブロック図である。
【符号の説明】
【００８５】
１                  効果装置
２                  効果付与回路（効果付与手段）
３０                外部に接続される効果装置
ＪＫ１              出力ジャック（出力端子）
ＪＫ２             
入力ジャック（入力端子）
ＪＫ３             
センドジャック（センド端子）
ＪＫ４             
リターンジャック（リターン端子）
ＡＭＰ４           
アンプ（合成手段）
ＡＭＰ５           
アンプ（位相反転手段）
ＳＷ１              スイッチ（効果切替え手段）
ＳＷ２              スイッチ（反転切替え手段）
ＳＷ３，５          スイッチ（モード切替え手段）
ＳＷ４              スイッチ（内部効果切替え手段）